(57)【要約】【課題】遠隔地に居る講演者があたかもその場に居て講演をしているかのような臨場感を醸し出すことのできる講演装置の構造を提案する。【解決手段】遠隔地に居る講演者の映像情報をリアプロジェクタ１３で発し、その映像を映し出すスクリーン１２を演台１１に備えて講演装置１９を構成した。スクリーン１２は、調光ガラスであって、透明な状態とスクリーンとして投影可能な状態とに、電圧印加の有無により切替可能なものを採用し、講演時以外はスクリーン１２が透明板であるようにした。【選択図】図６
2005315994.tif 000002
【特許請求の範囲】
【請求項１】
演台と、
プロジェクタと、
プロジェクタが発する光を投影するスクリーンとを、
備えることを特徴とする講演装置。
【請求項２】
前記スクリーンは、調光ガラスであって、透明な状態とスクリーンとして投影可能な状態とに、電圧印加の有無により切替可能なものとする、
請求項１に記載の講演装置。
【請求項３】
前記演台とスクリーンとを、分解可能とする、
請求項１又は請求項２に記載の講演装置。
【請求項４】
前記プロジェクタに、制御装置を接続し、
該制御装置にて、講演装置が置かれた場所と異なる場所で撮影された映像情報を、情報通信手段を介して受信するとともに、映像信号としてプロジェクタに出力する、
請求項１乃至請求項３のいずれかに記載の講演装置。
【発明の詳細な説明】
【技術分野】
【０００１】
本発明は、講演等に使用するための演台を備えた講演装置の構造に関する。
【背景技術】
【０００２】
従来、離れた場所に居る会議参加者との会議を円滑に進めるために、離れた場所に居る会議中の話者を撮影し、その映像を情報通信手段を介して会議場に備えたコンピュータ等の情報処理制御手段に送信して、該情報処理制御手段による制御によりディスプレイやスクリーン等の画面に話者の映像を映し出すとともに、話者の映像に合わせた音声を発することができるようにして、同時に複数の場所に居る会議参加者と会議をできるようにしたテレビ会議システムが知られている。
【０００３】
例えば、特許文献１に記載の技術では、プラズマディスプレイやリアプロジェクタ等を用いて大画面に映し出される映像を利用して会議を行うシステムであって、音声を発するスピーカの配置を工夫し、また音声を発生するスピーカを切り替えることにより、表示画面に表示される話者がいかにも喋っているようなリアルな効果を演出できる装置が提案されている。
また、特許文献２に記載の技術では、撮影するカメラの角度や、画面に映し出す映像を個々の会議参加者に対して設け制御することによって、画面に映し出されている会議参加者が顔を向ける方向を、現実にその位置にその参加者が存在する場合と一致させ、また、画面上の話者の方角から音声がきこえるようにして、臨場感を高め、会議がスムーズに進行するようにする技術が提案されている。
【０００４】
【特許文献１】特開２０００−２３２８１号公報
【特許文献２】特開平１１−１０３４９９号公報
【発明の開示】
【発明が解決しようとする課題】
【０００５】
上述の従来技術のように、スクリーンやディスプレイに映された映像に音声を合わせる等して、その人物があたかもその場に居るような臨場感を出す工夫が為されているが、スクリーンやディスプレイ等の画面のなかに映されている映像であるという感覚を除く工夫は為されていないため、映像と対面しているという感覚を拭うことが難しい。
そこで、上述の従来技術を鑑み、本発明では、遠隔地に居る講演者があたかもその場に居て講演をしているかのような臨場感を醸し出すことのできる講演装置の構造を提案する。
【課題を解決するための手段】
【０００６】
本発明の解決しようとする課題は以上の如くであり、次にこの課題を解決するための手段を説明する。
【０００７】
即ち、請求項１においては、演台と、プロジェクタと、プロジェクタが発する光を投影するスクリーンとを、備える講演装置である。
【０００８】
請求項２においては、前記スクリーンは、調光ガラスであって、透明な状態とスクリーンとして投影可能な状態とに、電圧印加の有無により切替可能なものとするものである。
【０００９】
請求項３においては、前記演台とスクリーンとを、分解可能とするものである。
【００１０】
請求項４においては、前記プロジェクタに、制御装置を接続し、該制御装置にて、講演装置が置かれた場所と異なる場所で撮影された映像情報を、情報通信手段を介して受信するとともに、映像信号としてプロジェクタに出力するものである。
【発明の効果】
【００１１】
本発明の効果として、以下に示すような効果を奏する。
【００１２】
請求項１においては、演台にて立体感が与えられ、スクリーンに映し出された映像の講演者が、あたかもその場で講演しているかのような状況を形成することができ、臨場感を醸し出すことができる。
【００１３】
請求項２においては、講演開始までスクリーンを透明とすることができるので、スクリーンの存在感を与えず、講演が始まるまでは演台のみを強調して、講演がスクリーンに映し出された映像であるという印象を弱めることができる。また、講演時においても講演者の周囲の映像をスクリーンに投影しないことで、スクリーンに講演者のみを映し出し他をほぼ透過させることができる。
【００１４】
請求項３においては、スクリーンと演台とを別体とすることができるので、それぞれを個別にも使用することができ、また、収納の際にコンパクトにすることができ利便性を図ることができる。
【００１５】
請求項４においては、遠隔地に居る講演者の映像を、ほぼリアルタイムで、同時に複数の場所で映し出すことができる。
【発明を実施するための最良の形態】
【００１６】
次に、発明の実施の形態を説明する。
図１は本発明の実施例に係る講演装置の全体的な構成を示した側面図、図２は講演装置の正面図、図３は講演装置の斜視図である。
図４は引き出した状態の反射体を示す側面図、図５は格納した状態の反射対を示す側面図である。
図６は映像を投影した講演装置の様子を示す斜視図、図７はスピーカを備えた講演装置の様子を示す斜視図である。
図８は講演装置の別形態を示す斜視図、図９は映像を投影した別形態の講演装置の様子を示す斜視図である。
図１０は講演装置の制御機構を示すブロック図である。
【００１７】
図１乃至図３に示す如く、本発明に係る講演装置１０は、演台１１と、該演台１１に備えられたスクリーン１２と、スクリーン１２に投影する光を発するプロジェクタ１３等からなる。演台１１にはプロジェクタ１３が保持されている。
【００１８】
プロジェクタ１３は、フロントプロジェクション方式と比べて、外光による影響が少ないリアプロジェクション方式を採用したリアプロジェクタとする。リアプロジェクタでは、カーテンを開け、照明をつけた明るい部屋でも、くっきりとした映像表示が可能であるため、部屋を暗くする必要がないので、会議や授業や講演等、聴衆がメモを取りながら聴く状況において適している。
【００１９】
スクリーン１２は、演台１１の上面後部に固定されており、スクリーン本体２５と、該スクリーン本体２５の周囲に設けられたフレーム２４とで構成されている。
なお、スクリーン１２を演台１１より着脱可能に構成されている。これにより、講演装置１０の演台１１は、通常通り人物が講演する際に使用することができ、また、演台１１とスクリーン１２とに分解して収納することができ利便性を図ることができる。
【００２０】
前記スクリーン本体２５は、調光ガラスで構成されている。調光ガラスは、透明な板ガラスの間に液晶シートが挟まれた構成のものであり、電圧が加えられていない時は、液晶が不規則に並んでいて光が拡散されるために不透明であり、電圧が加えられることによって、液晶が規則的に配列されスクリーンとして機能する状態となる。
また、フレーム２４は、スクリーン本体２５と講演が行われる部屋の周囲との境目を強調しない色や素材のものが選択される。なお、フレーム２４は、スクリーン本体２５に十分な強度を持たせることができれば、不要とすることができ、スクリーン１２の存在感を弱めることができるので好ましい。
【００２１】
演台１１は、左右の側面板２８・２８と、正面板２９と、天板２７とで構成される筐体である。そして、該筐体の内部に、棚板２６が取り付けられて、棚が形成されている。この棚板２６には、プロジェクタ１３が載置され、保持されている。
【００２２】
また、前記棚板２６には、反射体２２が支持されている。
棚板２６には、反射体２２を支持する支持フレーム１９が設けられている。支持フレーム１９は、棚板２６の下部に固設された水平部材２０と、該水平部材２０の後端に固設された垂直部材２１とで構成されている。
【００２３】
図４及び図５に示す如く、水平部材２０は、上下二本のスライドバー２０ａ・２０ｂがスライダ２０ｃを介して二段式に伸張可能に連結されており、棚板２６の下部に固設されたホルダ２０ｄに支持されている。よって、水平部材２０は、演台１１の内部に格納した状態（図５）と、引き出した状態（図４）との状態を実現することができる。
従って、講演装置１０を使用しないときには、支持フレーム１９を演台１１側へ押し込んで、反射体２２を演台１１の内部へ格納することができる。
【００２４】
また、垂直部材２１の上端に貫設された軸２３ａには反射体２２が支承されている。軸２３ａにはハンドル２３が備えられており、該ハンドル２３を回動させることによって反射体２２の角度を調節することができる。反射体２２の角度を調整して、プロジェクタ１３から発された光をスクリーン１２に投影することができるように調整する。
【００２５】
上述の如く構成された講演装置１０では、図６に示す如く、演台１１の内部に配置されたプロジェクタ１３より、講演者の映像を映し出すための光が発され、該光が反射体２２にて反射され、スクリーン１２に投影される。
スクリーン１２に投影される講演者の映像は、講演者が実際に居る場所の周囲のものを映し出さずに講演者のみを映し出すようにする。スクリーン１２のスクリーン本体２５は、スクリーンとして機能する状態であっても、ある程度の透明性があり、透明な光が投影されている部分は透明性を保持する。従って、スクリーン１２に映し出されているのは、講演者のみとなる。
【００２６】
このようにして、講演装置１０では、演台１１が存在することで立体感が付与され、スクリーン１２の講演者の周囲がほぼ透明であるので、あたかも講演者がその場で講演しているかのような状況を形成することができ、臨場感を醸し出すことができる。さらに、演台１１にマイクを取り付ければ、より立体感を出すことができ、臨場感を増すことができる。
また、講演装置１０では、講演開始までスクリーン１２を透明とすることができるので、講演が始まるまでは演台１１のみが強調されて、講演がスクリーン１２に映し出された映像であるという印象を弱めることができる。これにより、聴衆に、講演に臨場感を感じさせることに寄与することができる。
【００２７】
なお、図８及び図９に示す如く、講演装置１０のスクリーン１２を衝立型とすることもできる。
この場合、衝立型のスクリーン１２のフレーム部分に、着脱可能に演台１１を設けることによって、スクリーン１２に映し出される講演者の映像に臨場感を持たせることができる。また、衝立型のスクリーン１２は、通常は演台１１を取り外して仕切りパネル等として利用することができる。
【００２８】
上述の講演装置１０において、プロジェクタ１３より発され、スクリーン１２に投影される映像は、制御装置３０にて制御されている。
続いて、図１０を用いて制御装置３０の制御システムについて説明する。
【００２９】
制御装置３０には、アンプ３１を介してスピーカ３２が接続されており、該スピーカ３２よりスクリーン１２に投影される映像に合致した音声が発される。スピーカ３２は講演装置１０の周囲に配置することもできるし、スクリーン１２のスクリーン本体２５としてスピーカ３２としての機能を併せ持ったものを採用することもできるし、或いは、図７に示す如く、講演装置１０の演台１１にスピーカ３２を備えることもできる。但し、スピーカ３２は、スクリーン１２から近い位置に配置することが、音の発生源と講演者の映像とが近くなりより臨場感を高めることができるため、好ましい。
【００３０】
制御装置３０は、情報通信手段３９に接続されており、外部から情報通信手段３９を介して受信した映像信号を、映像信号処理部にて処理し、プロジェクタ１３に送信して、プロジェクタ１３にて発光し、スクリーン１２に投影することができる。
【００３１】
例えば、講演装置１０では、遠隔地において講演している講演者の映像を、撮像装置４１にて撮影し、その映像信号を制御装置４０に取り込み、該制御装置４０から情報通信手段３９を介して、講演装置１０に備えられた制御装置３０に送ることができる。
これにより、遠隔地において講演している講演者の映像を、講演装置１０のスクリーン１２に映し出すことができる。講演装置１０を複数の講演会場にそれぞれ備えることで、ほぼ同時に各講演会場で同一の講演映像を映し出すことができる。
【００３２】
また、前記制御装置３０には、メディア再生装置３３や、撮像装置３４等が接続されている。制御装置３０はこれらの装置より送信されてくる映像信号をプロジェクタ１３に送信してスクリーン１２に投影することができるようにしている。
【００３３】
メディア再生装置３３は、ＤＶＤやＶＴＲ等の記憶媒体に格納されている映像情報を再生することのできる装置である。ＴＶチューナーを備えてテレビジョン放送を再生することができるようにすることもできる。メディア再生装置３３より送られる映像信号は、制御装置３０の映像信号処理部にて処理されてプロジェクタ１３に送信され、プロジェクタ１３より発光される。これにより、記憶媒体に格納されている映像情報をスクリーン１２に映し出すことができる。
撮像装置３４は、映像（画像）を撮像し、撮像した映像を映像信号として制御装置３０に送信することのできる装置である。制御装置３０に送られた映像信号は、映像信号処理部にて処理されてプロジェクタ１３に送信され、プロジェクタ１３より発光されて、スクリーン１２に映像が投影される。
【図面の簡単な説明】
【００３４】
【図１】本発明の実施例に係る講演装置の全体的な構成を示した側面図。
【図２】講演装置の正面図。
【図３】講演装置の斜視図。
【図４】引き出した状態の反射体を示す側面図。
【図５】格納した状態の反射対を示す側面図。
【図６】映像を投影した講演装置の様子を示す斜視図。
【図７】スピーカを備えた講演装置の様子を示す斜視図。
【図８】講演装置の別形態を示す斜視図。
【図９】映像を投影した別形態の講演装置の様子を示す斜視図。
【図１０】講演装置の制御機構を示すブロック図。
【符号の説明】
【００３５】
１０  講演装置
１１  演台
１２  スクリーン
１３  プロジェクタ
２２  反射体
１９  支持フレーム
３０  制御装置
【図１】
2005315994.tif 000003
【図２】
2005315994.tif 000004
【図３】
2005315994.tif 000005
【図４】
2005315994.tif 000006
【図５】
2005315994.tif 000007
【図６】
2005315994.tif 000008
【図７】
2005315994.tif 000009
【図８】
2005315994.tif 000010
【図９】
2005315994.tif 000011
【図１０】
2005315994.tif 000012